Podtech/llm-jp-corpus-v4-ja_patent huggingface dataset:
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
ある当否判定結果が当たりとなる蓋然性を、当該ある当否判定結果よりも先に報知が完了する先の当否判定結果を報知する演出を利用して示唆する先読み演出を実行することが可能な遊技機であって、
前記ある当否判定結果を報知する対象報知演出にて特定演出が発生する場合には、当該ある当否判定に用いられる当否判定情報が取得された情報取得時点における抽選、および、当該情報取得時点後の所定条件成立時点である条件成立時点における抽選のいずれかに当選した場合に前記先読み演出が実行され、いずれにも当選しなかった場合に前記先読み演出は実行されない一方、
前記対象報知演出にて前記特定演出が発生しない場合には、前記情報取得時点における抽選に当選した場合に前記先読み演出が実行され、当該情報取得時点における抽選に当選しなかった場合に前記先読み演出は実行されない
ことを特徴とする遊技機。
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
所定の入球領域に遊技球が入球することを契機として当否抽選が実行される遊技機であって、
前記当否抽選に当選することを目指す通常遊技状態中における遊技者が任意に選択可能な遊技態様として、
第一入球領域に遊技球を入球させるように遊技する第一遊技態様と、
第二入球領域に遊技球を入球させるように遊技する第二遊技態様と、
が設定されており、
前記第一入球領域に遊技球が入球することを契機として実行される第一当否抽選の内容と、前記第二入球領域に遊技球が入球することを契機として実行される第二当否抽選の内容は異なるものの、前記第一当否抽選の当選確率と前記第二当否抽選の当選確率は同じであることを特徴とする遊技機。
【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
第１のダイナミックレンジで撮影された第１の映像信号を取得する第１のインタフェースと、
前記取得された第１の映像信号の中の一部の領域を特定するための情報を取得する第２のインタフェースと、
前記一部の領域の前記第１の映像信号の明るさの代表値を算出し、前記算出された代表値に応じて前記第１の映像信号のダイナミックレンジを圧縮し、前記第１のダイナミックレンジよりも狭い第２のダイナミックレンジに制限した第２の映像信号を生成する演算処理回路と
を具備する映像信号処理装置。
【請求項２】
請求項１に記載の映像信号処理装置であって、
前記演算処理回路は、前記算出された代表値に応じたゲイン値を前記第１の映像信号に乗じることによって前記第１の映像信号のダイナミックレンジを圧縮するように構成された
映像信号処理装置。
【請求項３】
請求項１または２に記載の映像信号処理装置であって、
前記演算処理回路は、前記算出された代表値が大きいほど、絶対値の大きい負のゲイン値を前記第１の映像信号に乗じるように構成された
映像信号処理装置。
【請求項４】
請求項１から３のいずれか１項に記載の映像信号処理装置であって、
前記演算処理回路は、前記第１の映像信号の中の前記一部の領域の中央部分とその他の部分とで明るさの値の重みを異ならせて前記明るさの代表値を算出するように構成された
映像信号処理装置。
【請求項５】
請求項１から４のいずれか１項に記載の映像信号処理装置であって、
前記演算処理回路は、前記第２の映像信号に、当該第２の映像信号の高輝度部の表示レンジを増大させるように高輝度部を圧縮する形のガンマ処理を行うように構成された
映像信号処理装置。
【請求項６】
請求項１から５のいずれか１項に記載の映像信号処理装置であって、
前記演算処理回路により生成された第２の映像信号を、前記第２のダイナミックレンジで映像を表示可能なディスプレイを有する機器に出力する第３のインタフェースをさらに具備する
映像信号処理装置。
【請求項７】
演算処理回路が、
第１のインタフェースを使って第１のダイナミックレンジで撮影された第１の映像信号を取得し、
第２のインタフェースを使って、前記取得された第１の映像信号の中の一部の領域を特定するための情報を取得し、
前記一部の領域の前記第１の映像信号の明るさの代表値を算出し、前記算出された代表値に応じて前記第１の映像信号のダイナミックレンジを圧縮し、前記第１のダイナミックレンジよりも狭い第２のダイナミックレンジに制限した第２の映像信号を生成する
映像信号処理方法。
【請求項８】
第１のダイナミックレンジで撮影された第１の映像信号を取得する第１のインタフェースと、
前記取得された第１の映像信号の中の一部の領域を特定するための情報を取得する第２のインタフェースと、
前記一部の領域の前記第１の映像信号の明るさの代表値を算出し、前記算出された代表値に応じて前記第１の映像信号のダイナミックレンジを圧縮し、前記第１のダイナミックレンジよりも狭い第２のダイナミックレンジに制限した第２の映像信号を生成する演算処理回路と
を具備する映像信号処理装置として、
コンピュータを動作させるプログラム。
【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
行方向および列方向に配置された複数の画素と、前記複数の画素のそれぞれの列に設けられた垂直出力線とを有する撮像素子と、
前記複数の画素のうちの所定数の画素の信号を同時に前記垂直出力線に接続することにより、前記所定数の画素の信号を混合した混合信号を、前記所定数の画素に対応する１つの混合画素の信号として生成するように前記撮像素子を駆動する駆動手段と、
前記複数の画素の欠陥レベルの情報を含む欠陥情報を記憶する記憶手段と、
前記欠陥情報に基づいて、前記混合画素の欠陥レベルを決定する決定手段と、
前記決定手段により決定された前記混合画素の欠陥レベルに基づいて、前記混合画素の欠陥補正を行う補正手段と、
を備えることを特徴とする撮像装置。
【請求項２】
前記決定手段は、前記所定数の画素に欠陥画素が存在しない場合に、前記混合画素を欠陥画素ではないと判定し、前記所定数の画素に欠陥画素が１つ以上ある場合に、前記混合画素を欠陥画素と判定し、前記欠陥レベルを決定することを特徴とする請求項１に記載の撮像装置。
【請求項３】
前記決定手段は、前記所定数の画素に欠陥画素が１つ含まれる場合、前記所定数の画素の信号の出力差が所定の閾値以上の場合に、前記混合画素の欠陥レベルを、前記所定数の画素に含まれる欠陥画素の信号と非欠陥画素の信号の平均値よりも低いレベルに決定することを特徴とする請求項２に記載の撮像装置。
【請求項４】
前記決定手段は、前記所定数の画素に欠陥画素が複数含まれる場合、前記所定数の画素の信号の出力差が所定の閾値以上の場合に、前記混合画素の欠陥レベルを、前記所定数の画素に含まれる欠陥画素の信号の平均値よりも低いレベルに決定することを特徴とする請求項２に記載の撮像装置。
【請求項５】
前記決定手段は、前記所定数の画素に欠陥画素が含まれる場合、前記所定数の画素の信号の出力差が所定の閾値より小さい場合に、前記混合画素の欠陥レベルを、前記所定数の画素に含まれる欠陥画素の信号の平均値と同等のレベルに決定することを特徴とする請求項２に記載の撮像装置。
【請求項６】
前記決定手段は、前記所定数の画素に欠陥画素が含まれる場合、前記欠陥画素の信号が所定の閾値より大きい場合に、前記混合画素の欠陥レベルを、前記所定数の画素に含まれる欠陥画素の信号の平均値よりも低いレベルに決定することを特徴とする請求項２に記載の撮像装置。
【請求項７】
前記所定の閾値は、前記垂直出力線を駆動する電流値に応じて決定されることを特徴とする請求項３乃至６のいずれか１項に記載の撮像装置。
【請求項８】
前記所定の閾値は、前記所定数の画素の画素数に応じて決定されることを特徴とする請求項３乃至７のいずれか１項に記載の撮像装置。
【請求項９】
前記画素はＭＯＳトランジスタによるソースフォロア回路を有し、前記所定の閾値は、前記ＭＯＳトランジスタのサイズに応じて決定されることを特徴とする請求項３乃至８のいずれか１項に記載の撮像装置。
【請求項１０】
前記画素はフローティングディフュージョンを有し、前記所定の閾値は、前記フローティングディフュージョンの容量または電位振幅に応じて決定されることを特徴とする請求項３乃至９のいずれか１項に記載の撮像装置。
【請求項１１】
前記所定数の画素はそれぞれ同色のカラーフィルタを有する画素であることを特徴とする請求項１乃至１０のいずれか１項に記載の撮像装置。
【請求項１２】
行方向および列方向に配置された複数の画素と、前記複数の画素のそれぞれの列に設けられた垂直出力線とを有する撮像素子を備える撮像装置の制御方法であって、
前記複数の画素のうちの所定数の画素の信号を同時に前記垂直出力線に接続することにより、前記所定数の画素の信号を混合した混合信号を、前記所定数の画素に対応する１つの混合画素の信号として生成するように前記撮像素子を駆動する駆動工程と、
前記複数の画素の欠陥レベルの情報を含む欠陥情報を記憶する記憶工程と、
前記欠陥情報に基づいて、前記混合画素の欠陥レベルを決定する決定工程と、
前記決定工程において決定された前記混合画素の欠陥レベルに基づいて、前記混合画素の欠陥補正を行う補正工程と、
を有することを特徴とする撮像装置の制御方法。
【請求項１３】
請求項１２に記載の制御方法の各工程をコンピュータに実行させるためのプログラム。
【請求項１４】
請求項１２に記載の制御方法の各工程をコンピュータに実行させるためのプログラムを記憶したコンピュータが読み取り可能な記憶媒体。
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
通信インタフェースを有し、同じネットワークに存在する他の装置と所定の通信を確立可能な通信装置であって、
前記通信装置が第１のネットワークに参加している間に、
前記第１のネットワークに参加している第１の外部装置から送信される、前記第１の外部装置に関する情報を含む第１の信号を、前記通信インタフェースを介して受信する第１の受信手段と、
第２の外部装置によって形成される第２のネットワークの情報を含む第２の信号を、前記通信インタフェースを介して受信する第２の受信手段と、
前記第２の受信手段により受信された前記第２のネットワークの情報に基づき、前記第２の外部装置が所定の条件を満たすかを判断する判断手段と、
前記所定の通信を確立する装置を選択する選択画面を、表示部に表示する表示制御手段とを有し、
前記表示制御手段は、前記第１の外部装置の情報と、前記所定の条件を満たすと判断された第２の外部装置情報とを、前記所定の通信を確立する候補装置の情報として前記選択画面に表示する、ことを特徴とする通信装置。
【請求項２】
前記選択画面において前記第１の外部装置の情報が選択された場合、前記第１のネットワークを介して前記第１の外部装置と前記所定の通信を確立し、前記選択画面において前記第２の外部装置の情報が選択された場合、前記第２のネットワークに参加し、前記第２のネットワークを介して前記第２の外部装置と前記所定の通信を確立するよう前記通信インタフェースを制御する制御手段を更に有する、ことを特徴とする請求項１に記載の通信装置。
【請求項３】
前記選択画面において前記第２の外部装置の情報が選択され前記通信装置が前記第２のネットワークに参加した場合、前記第２の外部装置から送信された、前記第２のネットワーク上の装置を発見するための第３の信号を受信する第３の受信手段を更に有する、ことを特徴とする請求項２に記載の通信装置。
【請求項４】
前記選択画面は、ユーザ操作により前記候補装置の情報を選択するための操作部を含む、ことを特徴とする請求項１または３に記載の通信装置。
【請求項５】
前記操作部は、前記候補装置の情報ごとに表示される、ことを特徴とする請求項４に記載の通信装置。
【請求項６】
前記第１の外部装置の情報を選択するための操作部と、前記第２の外部装置の情報を選択するための操作部は同じデザインである、ことを特徴とする請求項５に記載の通信装置。
【請求項７】
前記表示制御手段は、前記候補装置の情報をリストで前記選択画面に表示する、ことを特徴とする請求項１から６のいずれか１項に記載の通信装置。
【請求項８】
前記表示制御手段は、前記第１の信号及び前記第２の信号を受信した順序に基づき、前記選択画面上の前記候補装置の情報の順序を決定する、ことを特徴とする請求項７に記載の通信装置。
【請求項９】
前記表示制御手段は、前記第１の外部装置の情報と、前記所定の条件を満たすと判断された第２の外部装置の情報とを識別可能に表示する、ことを特徴とする請求項１から８のいずれか１項に記載の通信装置。
【請求項１０】
前記表示制御手段は、前記第１の外部装置の情報と、前記第２の外部装置の情報の、表示領域内の少なくとも一部の色、文字色、文字サイズの少なくとも１つを異ならせて表示することを特徴とする請求項９に記載の通信装置。
【請求項１１】
前記表示制御手段はユーザ操作に基づき、前記第１の外部装置の情報と前記第２の外部装置の情報とを、前記選択画面内で切り替えて表示する、ことを特徴とする請求項１から１０のいずれか１項に記載の通信装置。
【請求項１２】
前記表示制御手段は、前記第２の外部装置の情報が選択された場合、前記第２のネットワークの機能制限に関する通知を表示する、ことを特徴とする請求項１から１１のいずれか１項に記載の通信装置。
【請求項１３】
前記第２のネットワークの情報はビーコン信号であり、
前記判断手段は、前記ビーコン信号に含まれる情報に基づき、前記第２の外部装置の情報を特定する、ことを特徴とする請求項１から１２のいずれか１項に記載の通信装置。
【請求項１４】
前記判断手段は、前記第２のネットワークの情報に含まれるネットワーク識別子に、特定の文字列が含まれるか判断し、
特定の文字列が含まれると判断した場合、前記判断手段は前記第２の外部装置が所定の条件を満たすと判断する、ことを特徴とする請求項１から１３のいずれか１項に記載の通信装置。
【請求項１５】
同じネットワークに存在する他の装置と所定の通信を確立可能な通信装置の制御方法であって、
前記通信装置が第１のネットワークに参加している間に、
前記第１のネットワークに参加している第１の外部装置から送信される、前記第１の外部装置に関する情報を含む第１の信号を受信する第１の受信工程と、
第２の外部装置によって形成される第２のネットワークの情報を含む第２の信号を受信する第２の受信工程と、
前記第２の受信工程において受信された前記第２のネットワークの情報に基づき、前記第２の外部装置が所定の条件を満たすかを判断する判断工程と、
前記所定の通信を確立する装置を選択する選択画面を、表示部に表示する表示制御工程とを有し、
前記表示制御工程では、前記第１の外部装置の情報と、前記所定の条件を満たすと判断された第２の外部装置情報とを、前記所定の通信を確立する候補装置の情報として前記選択画面に表示する、ことを特徴とする通信装置の制御方法。
【請求項１６】
コンピュータを、請求項１から１４のいずれか１項に記載の通信装置の各手段として機能させるためのプログラム。
【手続補正２】
【補正対象書類名】明細書
【補正対象項目名】０００８
【補正方法】変更
【補正の内容】
【０００８】
この課題を解決するため、例えば本発明の通信装置は以下の構成を備える。すなわち、通信インタフェースを有し、同じネットワークに存在する他の装置と所定の通信を確立可能な通信装置であって、前記通信装置が第１のネットワークに参加している間に、前記第１のネットワークに参加している第１の外部装置から送信される、前記第１の外部装置に関する情報を含む第１の信号を、前記通信インタフェースを介して受信する第１の受信手段と、第２の外部装置によって形成される第２のネットワークの情報を含む第２の信号を、前記通信インタフェースを介して受信する第２の受信手段と、前記第２の受信手段により受信された前記第２のネットワークの情報に基づき、前記第２の外部装置が所定の条件を満たすかを判断する判断手段と、前記所定の通信を確立する装置を選択する選択画面を、表示部に表示する表示制御手段とを有し、前記表示制御手段は、前記第１の外部装置の情報と、前記所定の条件を満たすと判断された第２の外部装置情報とを、前記所定の通信を確立する候補装置の情報として前記選択画面に表示する、ことを特徴とする。
【手続補正書】
【提出日】令和2年1月8日(2020.1.8)
【手続補正１】
【補正対象書類名】明細書
【補正対象項目名】００４４
【補正方法】変更
【補正の内容】
【００４４】
ＣＰＵ３６は、受電装置３０の全体を制御するための演算処理装置であり、ＲＯＭ３８に格納されているプログラムに従って動作する。ここでいう、プログラムとは、後述する各種フローチャートを実行するためのプログラムが含まれる。また、ＣＰＵ３６は、整合回路３２の可変受動素子の値の変更や切り替えを行う。また、ＣＰＵ３６は、レギュレータ３４を制御することにより給電装置１０から供給された電力で電池３９を充電する。なお、ＣＰＵ３６は、レギュレータ３４を制御する際に、内部のＡＤ変換機能を用いて電池３９の蓄電残量を検出してもよい。また、ＣＰＵ３６は、電池３９の蓄電残量に応じて、トリクル充電制御、高速充電制御、定電圧制御、定電流制御などを切り替えながら制御を行ってもよい。ＣＰＵ３６は、変復調回路３５を制御することにより給電装置１０とのコマンドの送受信を行う。なお、コマンドには、宛先を識別するための識別情報およびコマンドによって指示される動作を示すコマンドコードなどに応答するための情報が含まれる。なお、ＣＰＵ３６は、電池３９の蓄電状態に応じて、変復調回路３５を制御して給電電力の変更を給電装置１０へ要求してもよい。また、ＣＰＵ３６が動作するために十分な電力が給電装置１０から供給されない場合は、電池３９に充電を行った後に電池３９でＣＰＵ３６を動作させる。
【手続補正書】
【提出日】令和2年1月21日(2020.1.21)
【手続補正１】
【補正対象書類名】特許請求の範囲
【補正対象項目名】全文
【補正方法】変更
【補正の内容】
【特許請求の範囲】
【請求項１】
開花から５１日以上経過した日に収穫されたホップであって、開花から４５日目に収穫された場合に比べて、その３−スルファニル−４−メチルペンチルアセテート（３ＳＭＰＡ）及び３−スルファニル−１−ヘキサノール（３ＳＨ）からなる群より選択される１以上のチオール成分の含有量が５％以上増加したホップを含む原料を使用することを含む、飲料の製造方法。
【請求項２】
前記ホップを含む原料を使用して、開花から４５日目に収穫されたホップを使用したこと以外は同一の方法で製造された飲料に比べて、苦味価に対する、３ＳＭＰＡ及び３ＳＨからなる群より選択される１以上のチオール成分の含有量の比が増加した飲料を製造することを含む、請求項１に記載の飲料の製造方法。
【請求項３】
開花から５１日以上経過した日に収穫されたホップであって、開花から４５日目に収穫された場合に比べて、その３−スルファニル−４−メチルペンタン−１−オール（３ＳＭＰ）の含有量が２８．０μｇ／ｋｇ以上増加したホップを含む原料を使用することを含む、飲料の製造方法。
【請求項４】
前記ホップを含む原料を使用して、開花から４５日目に収穫されたホップを使用したこと以外は同一の方法で製造された飲料に比べて、３−スルファニル−４−メチルペンタン−１−オール、３−スルファニル−４−メチルペンチルアセテート及び３−スルファニル−１−ヘキサノールからなる群より選択される１以上のチオール成分の含有量が増加した飲料を製造することを含む、請求項１乃至３のいずれかに記載の飲料の製造方法。
【請求項５】
前記ホップを含む原料を使用して、ビールテイスト飲料を製造することを含む、請求項１乃至４のいずれかに記載の飲料の製造方法。
【請求項６】
ホップを含む原料を使用する飲料の製造において、前記ホップとして、開花から５１日以上経過した日に収穫されたホップであって、開花から４５日目に収穫された場合に比べて、その３−スルファニル−４−メチルペンチルアセテート（３ＳＭＰＡ）及び３−スルファニル−１−ヘキサノール（３ＳＨ）からなる群より選択される１以上のチオール成分の含有量が５％以上増加したホップを使用することにより、前記飲料の香味を向上させる、方法。
【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
盤面上に複数の入球口と始動口とを備え、
該始動口として遊技球が入球困難な閉鎖状態から入球容易な開放状態に変化可能な可変入球口を少なくとも含み、
前記始動口に入球するタイミングに起因して抽選し当選すると電動役物を開放する当り遊技を行う弾球遊技機において、
遊技状態を、前記可変入球口の前記開放状態が通常よりも延長された開放延長状態に移行させる開放延長状態移行手段と、
前記当選する確率が低い遊技中に、予め定められた遊技状態が生起すると前記複数の入球口のいずれかの入球口と関連した表示又は指示を行う表示指示手段と、を備え、
該表示指示手段による表示又は指示と関連する前記入球口に入球することに起因して前記開放延長状態移行手段により遊技状態を前記開放延長状態に移行させ、
前記予め定められた遊技状態は、前記抽選が当選していないことを示す外れ図柄の表示回数が予め定められた回数に至った遊技状態であり、
該外れ図柄の表示回数は前記当選の確率が低確率中の回数である、
ことを特徴とする弾球遊技機。
【手続補正２】
【補正対象書類名】明細書
【補正対象項目名】０００７
【補正方法】変更
【補正の内容】
【０００７】
上記課題に鑑みてなされた請求項１に係る発明は、
盤面上に複数の入球口と始動口とを備え、
該始動口として遊技球が入球困難な閉鎖状態から入球容易な開放状態に変化可能な可変入球口を少なくとも含み、
前記始動口に入球するタイミングに起因して抽選し当選すると電動役物を開放する当り遊技を行う弾球遊技機において、
遊技状態を、前記可変入球口の前記開放状態が通常よりも延長された開放延長状態に移行させる開放延長状態移行手段と、
前記当選する確率が低い遊技中に、予め定められた遊技状態が生起すると前記複数の入球口のいずれかの入球口と関連した表示又は指示を行う表示指示手段と、を備え、
該表示指示手段による表示又は指示と関連する前記入球口に入球することに起因して前記開放延長状態移行手段により遊技状態を前記開放延長状態に移行させ、
前記予め定められた遊技状態は、前記抽選が当選していないことを示す外れ図柄の表示回数が予め定められた回数に至った遊技状態であり、
該外れ図柄の表示回数は前記当選の確率が低確率中の回数である、
ことを特徴とする。
【手続補正３】
【補正対象書類名】明細書
【補正対象項目名】０００８
【補正方法】変更
【補正の内容】
【０００８】
このような構成によれば、予め定められた遊技状態が生起しても、電動役物と相違する入球口に入球させないと遊技状態は開放延長状態に移行しない。これにより、単に始動口を狙って遊技球を発射するだけでなく、電動役物と相違する入球口を狙う遊技と始動口を狙う遊技とを関連付けすることができる。
入球口が普通入賞口であれば賞球の払い出しがあるので、電動役物の作動によらなくとも賞球の払い出しがあり、所謂ベースを低下させない効果も有する。
また、遊技状態を開放延長状態に移行させるために入球させる入球口は表示指示手段により表示又は指示されるので、表示又は指示する画像と入球口とを関連付けすることができる。
【手続補正４】
【補正対象書類名】明細書
【補正対象項目名】０００９
【補正方法】変更
【補正の内容】
【０００９】
ここで、入球口とは、始動口及び電動役物以外の入球口をいい、普通入賞口だけでなく、第１種非電動役物、第２種非電動役物又はゲート（通過口）であっても良い。
開放延長状態移行手段とは、遊技状態を、可変入球口の開放状態が通常よりも延長された開放延長状態に移行させる手段であれば良い。遊技状態を可変入球口の開放状態が通常よりも延長された開放延長状態に移行させるだけでなく、始動口としての可変入球口を普通図柄の抽選に当選すれば開放する構成の場合には、併せて普通図柄の変動時間を短くする構成を採用しても良い。また、併せて普通図柄の当り確率を高くしても良く、更に始動口への入球タイミングに起因して行う抽選結果を報知する図柄（特図）の変動時間も短縮しても良い。
【手続補正５】
【補正対象書類名】明細書
【補正対象項目名】００１０
【補正方法】変更
【補正の内容】
【００１０】
表示指示手段による表示又は指示と関連した入球口は、２つ以上であっても良い。
例えば、予め定められた制限時間内に表示指示手段による表示又は指示と関連する複数の入球口の全てに入球させることに起因して開放延長状態移行手段により遊技状態を開放延長状態に移行させる、ことを特徴とする請求項１に記載の発明とすることが考えられる。
【手続補正６】
【補正対象書類名】明細書
【補正対象項目名】００１１
【補正方法】変更
【補正の内容】
【００１１】
この発明によれば、表示指示手段による表示又は指示と関連した入球口は２つ以上なので、表示指示手段に起因した遊技をより複雑にすることができる。これにより、表示指示手段による表示又は指示と関連した入球口を狙う遊技の役割を高く又は時間を長くする効果を発揮する。予め定められた遊技状態が生起してから開放延長状態移行手段により遊技状態を開放延長状態に移行させるまでの遊技の役割を高く又は長くすることが可能となる。
盤面上の全ての普通入賞口を対象とすれば、入賞しない普通入賞口を排除する効果を有する。なお、２つ以上の入球口は、一度に表示又は指示する必要はなく、予め定められた遊技状態が生起する毎に相違させて２つ以上としても良い。
【手続補正７】
【補正対象書類名】明細書
【補正対象項目名】００１２
【補正方法】変更
【補正の内容】
【００１２】
表示指示手段による表示又は指示と関連した入球口を狙う遊技の役割を高く又は時間を長くすることができるので、遊技盤面においても対象の入球口の数を相違させる、配置を相違させる又は入球口の形状を相違させる等の盤面構成も変化に富む遊技機を提供する効果が期待できる。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
最初の段階から特定段階までの複数の段階にわたって表示態様を変化可能な所定表示を行う所定表示手段と、
前記所定表示の表示態様を或る段階から他の段階に変化させる変化契機において変化演出を実行可能であり、前記所定表示の表示態様を最初の段階から特定段階まで変化させる所定期間において、前記変化演出を複数回実行可能な変化演出実行手段と、
複数回実行され得る前記変化演出の各々について、該変化演出が実行される前に特定演出を実行可能な特定演出実行手段と、
前記変化演出が実行されたことを報知する報知演出を実行可能な報知演出実行手段と、
前記有利状態に制御されることを示唆する特別演出を実行可能な特別演出実行手段と、
を備え、
前記変化演出の実行とともに可動体を動作させる可動体動作演出を実行可能であり、
前記変化演出実行手段は、
前記変化演出を実行したときに、前記所定表示の表示態様を或る段階から第１数の段階変化させる第１制御と、前記所定表示の表示態様を或る段階から前記第１数よりも大きい第２数の段階変化させる第２制御と、を実行可能であり、
前記変化演出が実行される前に前記特定演出が実行されたときに、前記特定演出が実行されなかったときよりも高い割合で前記第２制御を実行し、
前記特定演出の演出期間が第１期間であるときと該第１期間と異なる第２期間であるときとで、前記第１制御と前記第２制御とのいずれが実行されるかの割合が異なり、
前記報知演出実行手段は、前記第１制御に対応する第１態様の報知演出と、前記第２制御に対応する第２態様の報知演出と、を実行可能であり、
前記特別演出実行手段は、
第１特別演出と、該第１特別演出よりも前記有利状態に制御される期待度が高い第２特別演出と、を実行可能であり、
前記所定表示の表示態様が前記特定段階まで変化しなかったときに前記第１特別演出を実行し、前記所定表示の表示態様が前記特定段階まで変化したときに前記第２特別演出を実行する、
ことを特徴とする遊技機。
【手続補正２】
【補正対象書類名】明細書
【補正対象項目名】０００７
【補正方法】変更
【補正の内容】
【０００７】
（Ａ）上記目的を達成するため、本願発明に係る遊技機は、遊技者にとって有利な有利状態に制御可能な遊技機であって、最初の段階から特定段階までの複数の段階にわたって表示態様を変化可能な所定表示を行う所定表示手段と、前記所定表示の表示態様を或る段階から他の段階に変化させる変化契機において変化演出を実行可能であり、前記所定表示の表示態様を最初の段階から特定段階まで変化させる所定期間において、前記変化演出を複数回実行可能な変化演出実行手段と、複数回実行され得る前記変化演出の各々について、該変化演出が実行される前に特定演出を実行可能な特定演出実行手段と、前記変化演出が実行されたことを報知する報知演出を実行可能な報知演出実行手段と、前記有利状態に制御されることを示唆する特別演出を実行可能な特別演出実行手段と、を備え、前記変化演出の実行とともに可動体を動作させる可動体動作演出を実行可能であり、前記変化演出実行手段は、前記変化演出を実行したときに、前記所定表示の表示態様を或る段階から第１数の段階変化させる第１制御と、前記所定表示の表示態様を或る段階から前記第１数よりも大きい第２数の段階変化させる第２制御と、を実行可能であり、前記変化演出が実行される前に前記特定演出が実行されたときに、前記特定演出が実行されなかったときよりも高い割合で前記第２制御を実行し、前記特定演出の演出期間が第１期間であるときと該第１期間と異なる第２期間であるときとで、前記第１制御と前記第２制御とのいずれが実行されるかの割合が異なり、前記報知演出実行手段は、前記第１制御に対応する第１態様の報知演出と、前記第２制御に対応する第２態様の報知演出と、を実行可能であり、前記特別演出実行手段は、第１特別演出と、該第１特別演出よりも前記有利状態に制御される期待度が高い第２特別演出と、を実行可能であり、前記所定表示の表示態様が前記特定段階まで変化しなかったときに前記第１特別演出を実行し、前記所定表示の表示態様が前記特定段階まで変化したときに前記第２特別演出を実行する、ことを特徴とする。
（１）上記目的を達成するため、他の態様に係る遊技機は、遊技を行うための遊技機（例えば、パチンコ遊技機１等）であって、特定演出を実行可能な特定演出実行手段（例えば、メーター変化報知態様での予告演出を実行可能な演出制御用ＣＰＵ１２０等）と、所定表示の表示態様を特定の段階まで変化させ得る変化演出を実行可能な変化演出実行手段（例えば、メーターＭＴの表示態様をメーターの上限値（レベル４（ＭＡＸ））へ向かって変化させる演出や、メーターの表示態様をメーターの下限値（レベル０）へ向かって変化させる演出や、アイテムの種類や数を変化させる演出や、キャラクタの大きさや色、人数等を変化させる演出や、数字が増えていったり減っていったりする演出等を実行可能な演出制御用ＣＰＵ１２０等）とを備え、前記変化演出実行手段は、前記変化演出を実行するよりも前に前記特定演出が実行された場合と実行されなかった場合とで、前記変化演出において所定表示の表示態様を変化させるときの態様を異ならせる（例えば、スーパーリーチ演出中のメーター演出を実行するよりも前にメーター変化報知態様での予告演出が実行された場合と実行されなかった場合とで、スーパーリーチ演出中のメーター演出においてメーターＭＴの表示態様を変化させるときのメーターの変化量や、所定のエフェクトとして表示される小判の量を異ならせること等）ことを特徴とする。
【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
画像を表示可能な表示手段と、
特定オブジェクトを含むオブジェクトが配置された仮想空間の立体画像をリアルタイムに生成可能な画像生成手段と、
前記仮想空間における視界を移動可能な移動手段と、
前記立体画像とは異なる平面画像であるとともに、前記特定オブジェクトを特定の角度から視認したときと類似した特定画像データを用いた予告演出を実行可能な予告演出手段と、を備え、
前記予告演出は、前記有利状態に制御される期待度を示唆する演出であり、
前記予告演出の演出態様として、複数種類の演出態様を含み、
前記予告演出が実行されることに基づいて、前記移動手段によって移動された視界を、前記仮想空間に配置された前記特定オブジェクトを前記特定の角度から視認できるように特定視界に設定した後に、前記仮想空間に配置された前記特定オブジェクトに対する移動に伴い、前記特定オブジェクトを被覆するとともに、前記特定オブジェクトが被覆されていることが認識可能な特殊画像を表示してから、前記特定画像データを用いた表示に切り替えることが可能であり、
さらに、前記仮想空間の特定視界に設定した視界の移動を開始した後に、前記特定画像データを用いた表示に切り替えない演出も実行可能である、
ことを特徴とする遊技機。
【手続補正２】
【補正対象書類名】明細書
【補正対象項目名】０００７
【補正方法】変更
【補正の内容】
【０００７】
（Ａ）上記目的を達成するために、本願に係る遊技機は、
遊技者にとって有利な有利状態に制御可能な遊技機であって、
画像を表示可能な表示手段と、
特定オブジェクトを含むオブジェクトが配置された仮想空間の立体画像をリアルタイムに生成可能な画像生成手段と、
前記仮想空間における視界を移動可能な移動手段と、
前記立体画像とは異なる平面画像であるとともに、前記特定オブジェクトを特定の角度から視認したときと類似した特定画像データを用いた予告演出を実行可能な予告演出手段と、を備え、
前記予告演出は、前記有利状態に制御される期待度を示唆する演出であり、
前記予告演出の演出態様として、複数種類の演出態様を含み、
前記予告演出が実行されることに基づいて、前記移動手段によって移動された視界を、前記仮想空間に配置された前記特定オブジェクトを前記特定の角度から視認できるように特定視界に設定した後に、前記仮想空間に配置された前記特定オブジェクトに対する移動に伴い、前記特定オブジェクトを被覆するとともに、前記特定オブジェクトが被覆されていることが認識可能な特殊画像を表示してから、前記特定画像データを用いた表示に切り替えることが可能であり、
さらに、前記仮想空間の特定視界に設定した視界の移動を開始した後に、前記特定画像データを用いた表示に切り替えない演出も実行可能である、
ことを特徴とする。
（１）上記目的を達成するために、他の態様に係る遊技機は、遊技者にとって有利な有利状態（例えば大当り遊技状態など）に制御可能な遊技機（例えばパチンコ遊技機１など）であって、画像を表示可能な表示手段（例えば画像表示装置５など）と、オブジェクトが配置された仮想空間の画像をリアルタイムに生成可能な画像生成手段（例えばステップＳ１６１にて仮想空間表示処理を実行する演出制御用ＣＰＵ１２０など）と、前記仮想空間における視界を移動可能な移動手段（例えばステップＳ３４５にて視点と視軸を設定する演出制御用ＣＰＵ１２０など）と、特定画像データを用いた予告演出（例えば事前演出、報知用演出、結果報知演出など）を実行可能な予告演出手段（例えばステップＳ２０７にて事前演出制御処理を実行し、ステップＳ４２３、Ｓ４２５にて制御を行う演出制御用ＣＰＵ１２０など）とを備え、前記予告演出が実行されることに基づいて、前記移動手段によって移動された視界を、前記仮想空間の特定視界に設定（例えばステップＳ３２３にて視点ＰＴ０と視軸ＤＶ０を設定）した後に、前記仮想空間に配置された特定オブジェクトに対する移動（例えばステップＳ３２６、Ｓ３２８によるズームイン）に伴い、前記特定画像データを用いた表示に切り替える（例えばステップＳ３３３による表示制御など）。
このような構成によれば、好適に表示を切り替えることができる。
【手続補正書】
【提出日】令和2年1月6日(2020.1.6)
【手続補正１】
【補正対象書類名】特許請求の範囲
【補正対象項目名】全文
【補正方法】変更
【補正の内容】
【特許請求の範囲】
【請求項１】
遊技者が操作可能な操作手段と、
前記操作手段の操作を遊技者に促すために複数種の操作画像のうちのいずれかが表示される演出であって、当該複数種の操作画像のうちのいずれが表示されるかに応じて遊技者に有利な事象が発生する蓋然性を示唆する操作演出を実行する操作演出実行手段と、
前記操作演出において前記操作手段の操作が有効となる操作有効期間にて表示される操作画像が、前記複数種の操作画像のうちのいずれとなるかを、前記操作有効期間が開始されるよりも前に候補画像を用いて示唆する画像予告演出を実行する画像予告演出実行手段と、
を備え、
前記複数種の操作画像のそれぞれには、互いに異なる態様の前記候補画像が対応づけられており、
前記画像予告演出は、対応する前記操作画像の信頼度が高くなる方向に前記候補画像の態様が変化しうるように設定されており、当該画像予告演出にて最終的に表示されている前記候補画像に対応するものが前記操作演出における前記操作画像として表示される場合がある
ことを特徴とする遊技機。
【請求項２】
前記操作有効期間が開始されるよりも前に、前記複数種の操作画像のいずれかを示す事前画像が表示され、
前記事前画像が示す前記操作画像と、前記画像予告演出にて示された前記候補画像に対応する前記操作画像とが異なる状況にて、前記事前画像が前記候補画像に対応する前記操作画像に置き換わった場合には、置き換わった後の前記操作画像が表示された状態にて操作有効期間が開始されることを特徴とする請求項１に記載の遊技機。
【請求項３】
前記事前画像が示す前記操作画像と、前記画像予告演出にて示された前記候補画像に対応する前記操作画像とが異なる状況にて、前記事前画像が前記候補画像に対応する前記操作画像に置き換わらなかった場合には、前記事前画像が示す前記操作画像が表示された状態にて操作有効期間が開始されることを特徴とする請求項２に記載の遊技機。
【手続補正書】
【提出日】令和1年12月11日(2019.12.11)
【手続補正１】
【補正対象書類名】特許請求の範囲
【補正対象項目名】全文
【補正方法】変更
【補正の内容】
【特許請求の範囲】
【請求項１】
遊技者が操作可能な操作手段と、
前記操作手段の操作が有効となる操作有効期間が設定される一または複数種の操作演出を実行することが可能な操作演出実行手段と、
を備え、
前記一または複数種の操作演出の少なくとも一種である特定操作演出において設定されうる前記操作有効期間として、長さが異なる複数種の操作有効期間が設定されており、
前記特定操作演出における前記操作有効期間中、当該期間中であることを示す期間表示、および遊技者に対して求める前記操作手段の操作態様を示す操作態様表示が表示されるように構成されており、
前記操作有効期間の長さに応じて、表示される前記期間表示の態様および前記操作態様表示の態様が変化することを特徴とする遊技機。
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
被検体から伝搬した音響波を用いて前記被検体内の特性情報分布を生成する音響波測定装置であって、
前記音響波を受信する受信手段と、
第１の方向から前記被検体の第１の範囲を撮像し、前記第１の範囲の画像を取得する第１の撮像手段と、
前記第１の方向と異なる第２の方向から前記被検体の前記第１の範囲よりも狭い範囲を撮像し、局所画像を取得する第２の撮像手段と、
前記第１の撮像手段により撮像された前記第１の範囲の画像において、前記第２の撮像手段により撮像する位置の指定をユーザから受け付けるとともに、前記第２の撮像手段により撮像された前記局所画像において、前記特性情報分布を生成する第２の範囲の指定を前記ユーザから受け付ける指定手段と、
前記受信手段により受信された音響波を用いて前記特性情報分布を生成する生成手段と、を有することを特徴とする音響波測定装置。
【請求項２】
前記第２の撮像手段は、前記被検体から見て前記第１の撮像手段の反対側に設置されており、前記第２の撮像手段は、前記第１の方向と反対の第２の方向から前記被検体を撮像することを特徴とする請求項１に記載の音響波測定装置。
【請求項３】
前記第１の撮像手段は、前記被検体から見て前記第２の撮像手段と同じ側に設置された撮像手段を含み、
前記第１の撮像手段に含まれる前記撮像手段が取得した画像に基づいて、前記第１の範囲の画像を作成する画像作成手段をさらに有することを特徴とする請求項１に記載の音響波測定装置。
【請求項４】
前記ユーザから受け付けた前記特性情報分布を生成する範囲に対応する位置に前記受信手段を移動させる位置移動手段をさらに有することを特徴とする請求項１〜３のいずれか１項に記載の音響波測定装置。
【請求項５】
前記受信手段と、前記第２の撮像手段とを支持する支持手段をさらに有し、
前記位置移動手段は、前記支持手段の前記被検体に対する位置を変化させるものであり、
前記受信手段は、前記第２の撮像手段により撮像される範囲で発生した音響波を受信することを特徴とする請求項４に記載の音響波測定装置。
【請求項６】
前記被検体に光を照射する光照射手段をさらに有し、
前記音響波は、前記光を照射された前記被検体から伝搬した光音響波であることを特徴とする請求項１〜４のいずれか１項に記載の音響波測定装置。
【請求項７】
前記支持手段に支持され、前記被検体に光を照射する光照射手段をさらに有し、
前記音響波は、前記光を照射された前記被検体から伝搬した光音響波であることを特徴とする請求項５に記載の音響波測定装置。
【請求項８】
前記ユーザによる、前記第１の範囲の画像における前記第２の撮像手段により撮像する位置の入力と、前記局所画像における前記特性情報分布を生成する範囲の入力の、少なくともいずれかを受け付ける入力手段をさらに有することを特徴とする請求項１〜７のいずれか１項に記載の音響波測定装置。
【請求項９】
前記生成手段は、前記位置移動手段により前記受信手段が移動している期間にも、前記特性情報分布を生成することを特徴とする請求項４，５および７のいずれか１項に記載の音響波測定装置。
【請求項１０】
被検体から伝搬した音響波を用いて前記被検体内の特性情報分布を生成する音響波測定装置の制御方法であって、
前記音響波測定装置は、
前記音響波を受信する受信手段と、
第１の方向から前記被検体の第１の範囲を撮像し、前記第１の範囲の画像を取得する第１の撮像手段と、
前記第１の方向と異なる第２の方向から前記被検体の前記第１の範囲よりも狭い範囲を撮像し、局所画像を取得する第２の撮像手段と、を有し、
前記第１の撮像手段により撮像された前記第１の範囲の画像において、前記第２の撮像手段により撮像する位置の指定をユーザから受け付けるとともに、前記第２の撮像手段により撮像された前記局所画像において、前記特性情報分布を生成する第２の範囲の指定を前記ユーザから受け付ける指定ステップと、
前記受信手段により受信された音響波を用いて前記特性情報分布を生成する生成ステップと、を有することを特徴とする音響波測定装置の制御方法。
【手続補正２】
【補正対象書類名】明細書
【補正対象項目名】０００６
【補正方法】変更
【補正の内容】
【０００６】
本発明は、以下の構成を採用する。すなわち、
被検体から伝搬した音響波を用いて前記被検体内の特性情報分布を生成する音響波測定装置であって、
前記音響波を受信する受信手段と、
第１の方向から前記被検体の第１の範囲を撮像し、前記第１の範囲の画像を取得する第１の撮像手段と、
前記第１の方向と異なる第２の方向から前記被検体の前記第１の範囲よりも狭い範囲を撮像し、局所画像を取得する第２の撮像手段と、
前記第１の撮像手段により撮像された前記第１の範囲の画像において、前記第２の撮像手段により撮像する位置の指定をユーザから受け付けるとともに、前記第２の撮像手段により撮像された前記局所画像において、前記特性情報分布を生成する第２の範囲の指定を前記ユーザから受け付ける指定手段と、
前記受信手段により受信された音響波を用いて前記特性情報分布を生成する生成手段と、を有することを特徴とする音響波測定装置である。
【手続補正３】
【補正対象書類名】明細書
【補正対象項目名】０００７
【補正方法】変更
【補正の内容】
【０００７】
本発明はまた、以下の構成を採用する。すなわち、
被検体から伝搬した音響波を用いて前記被検体内の特性情報分布を生成する音響波測定装置の制御方法であって、
前記音響波測定装置は、
前記音響波を受信する受信手段と、
第１の方向から前記被検体の第１の範囲を撮像し、前記第１の範囲の画像を取得する第１の撮像手段と、
前記第１の方向と異なる第２の方向から前記被検体の前記第１の範囲よりも狭い範囲を撮像し、局所画像を取得する第２の撮像手段と、を有し、
前記第１の撮像手段により撮像された前記第１の範囲の画像において、前記第２の撮像手段により撮像する位置の指定をユーザから受け付けるとともに、前記第２の撮像手段により撮像された前記局所画像において、前記特性情報分布を生成する第２の範囲の指定を前記ユーザから受け付ける指定ステップと、
前記受信手段により受信された音響波を用いて前記特性情報分布を生成する生成ステップと、を有することを特徴とする音響波測定装置の制御方法である。
【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
遊技として、少なくとも通常遊技と、該通常遊技より有利な有利遊技が存在する遊技機において、
外周面に複数種類の図柄が配置された複数の回胴と、
遊技毎に、抽選条件が成立したことを契機に、役を内部抽選する役抽選手段と、
遊技毎に複数の回胴を回転させ、各々の回胴に対応して設けられた停止スイッチの操作を受け付けて、対応する回胴を個々に停止させ、前記内部抽選の結果に応じて図柄を表示する図柄表示制御手段と、
前記複数の回胴が全て停止したときの図柄の組合せ表示態様に応じて遊技価値を付与する付与手段と、
前記通常遊技と前記有利遊技とを、少なくとも実行可能な遊技実行手段と、
前記停止スイッチの操作順序を報知することが可能な報知手段と、
前記有利遊技の上乗せ値を決定する為に、上乗せ抽選を繰り返す上乗せループ抽選処理を実行可能な上乗せ抽選手段と、
前記上乗せループ抽選処理を終了させるか否か決定する為の抽選を、繰り返し実行可能な終了抽選手段と、
前記上乗せ値に関する上乗せ演出を制御する演出制御手段と、
操作スイッチが操作されたことを検出する検出手段と、
を具備し、
前記有利遊技の上乗せ条件が成立したことを契機にして、
前記上乗せ抽選手段は、前記上乗せループ抽選処理で決定した上乗せ値を、個々に前記演出制御手段に送信する一方、前記終了抽選手段が終了を決定したことを契機にして、前記上乗せループ抽選処理を終了すると、前記有利遊技の残り総数値を前記演出制御手段に送信し、
前記演出制御手段は、前記上乗せ抽選手段から受信した上乗せ値を個々に記憶し、且つ前記残り総数値を記憶し、
前記上乗せ演出の開始条件が成立して、前記操作スイッチの操作が有効化された場合、前記演出制御手段は、前記検出手段が前記操作スイッチの操作を一回検出する毎に、個々に記憶している上乗せ値に関する演出を実行可能に構成されていること、
を特徴とする遊技機。
【手続補正２】
【補正対象書類名】明細書
【補正対象項目名】００１３
【補正方法】変更
【補正の内容】
【００１３】
請求項１に係る本発明の遊技機は、上記の目的を達成する為に、遊技として、少なくとも通常遊技と、該通常遊技より有利な有利遊技が存在する遊技機において、外周面に複数種類の図柄が配置された複数の回胴と、遊技毎に、抽選条件が成立したことを契機に、役を内部抽選する役抽選手段と、遊技毎に複数の回胴を回転させ、各々の回胴に対応して設けられた停止スイッチの操作を受け付けて、対応する回胴を個々に停止させ、前記内部抽選の結果に応じて図柄を表示する図柄表示制御手段と、前記複数の回胴が全て停止したときの図柄の組合せ表示態様に応じて遊技価値を付与する付与手段と、前記通常遊技と前記有利遊技とを、少なくとも実行可能な遊技実行手段と、前記停止スイッチの操作順序を報知することが可能な報知手段と、前記有利遊技の上乗せ値を決定する為に、上乗せ抽選を繰り返す上乗せループ抽選処理を実行可能な上乗せ抽選手段と、前記上乗せループ抽選処理を終了させるか否か決定する為の抽選を、繰り返し実行可能な終了抽選手段と、前記上乗せ値に関する上乗せ演出を制御する演出制御手段と、操作スイッチが操作されたことを検出する検出手段と、を具備し、前記有利遊技の上乗せ条件が成立したことを契機にして、前記上乗せ抽選手段は、前記上乗せループ抽選処理で決定した上乗せ値を、個々に前記演出制御手段に送信する一方、前記終了抽選手段が終了を決定したことを契機にして、前記上乗せループ抽選処理を終了すると、前記有利遊技の残り総数値を前記演出制御手段に送信し、前記演出制御手段は、前記上乗せ抽選手段から受信した上乗せ値を個々に記憶し、且つ前記残り総数値を記憶し、前記上乗せ演出の開始条件が成立して、前記操作スイッチの操作が有効化された場合、前記演出制御手段は、前記検出手段が前記操作スイッチの操作を一回検出する毎に、個々に記憶している上乗せ値に関する演出を実行可能に構成されていることを特徴とする。
【手続補正書】
【提出日】令和2年1月15日(2020.1.15)
【手続補正１】
【補正対象書類名】特許請求の範囲
【補正対象項目名】請求項１５
【補正方法】変更
【補正の内容】
【請求項１５】
請求項１３または１４に記載された情報処理装置の制御方法の各工程をコンピュータに実行させるためのプログラム。
【手続補正書】
【提出日】令和2年1月21日(2020.1.21)
【手続補正１】
【補正対象書類名】特許請求の範囲
【補正対象項目名】全文
【補正方法】変更
【補正の内容】
【特許請求の範囲】
【請求項１】
遊技の進行を制御する主制御部と、
演出を制御するサブ制御部と、を備え、
前記主制御部は、
所定の判定条件の成立に基づいて、当たりの判定を行う当たり判定手段と、
前記当たりの判定の結果を示す識別図柄を変動表示させて停止表示させる識別図柄表示制御手段と、
前記識別図柄の変動パターンを決定する変動パターン決定手段と、を備え、
前記サブ制御部は、
前記変動パターン決定手段により決定された変動パターンに基づいて演出を決定する演出決定手段と、
前記演出決定手段によって決定された演出を実行する演出実行制御手段と、を備え、
前記演出実行制御手段は、前記識別図柄の変動表示に並行して、所定の疑似連演出を実行可能なものであり、
前記演出決定手段は、予め定められた第１演出モードに制御されているときには、第１の演出決定基準に従って、前記疑似連演出における疑似連回数と、第１演出モード用予告演出の組み合わせを決定可能であり、前記第１演出モードとは異なる第２演出モードに制御されているときには、第２の演出決定基準に従って、前記疑似連演出における疑似連回数と、第２演出モード用予告演出の組み合わせを決定可能であり、
前記第１演出モード用予告演出には、演出時間が異なる複数の種類があり、
前記第１演出モード用予告演出のうちの少なくとも一部の種類の演出と、前記第２演出モード用予告演出とは、演出時間が異なることを特徴とする遊技機。
【請求項２】
請求項１に記載の遊技機であって、
前記変動パターン決定手段は、特定の遊技状態において、１の判定基準に従って前記識別図柄の変動パターンを決定するものであり、
前記演出決定手段は、前記特定の遊技状態において前記第１演出モードに制御されているときに前記第１の演出決定基準に従って演出を決定し、前記特定の遊技状態において前記第２演出モードに制御されているときに前記第２の演出決定基準に従って演出を決定することを特徴とする遊技機。
【手続補正２】
【補正対象書類名】明細書
【補正対象項目名】０００５
【補正方法】変更
【補正の内容】
【０００５】
本発明の遊技機は、
遊技の進行を制御する主制御部と、
演出を制御するサブ制御部と、を備え、
前記主制御部は、
所定の判定条件の成立に基づいて、当たりの判定を行う当たり判定手段と、
前記当たりの判定の結果を示す識別図柄を変動表示させて停止表示させる識別図柄表示制御手段と、
前記識別図柄の変動パターンを決定する変動パターン決定手段と、を備え、
前記サブ制御部は、
前記変動パターン決定手段により決定された変動パターンに基づいて演出を決定する演出決定手段と、
前記演出決定手段によって決定された演出を実行する演出実行制御手段と、を備え、
前記演出実行制御手段は、前記識別図柄の変動表示に並行して、所定の疑似連演出を実行可能なものであり、
前記演出決定手段は、予め定められた第１演出モードに制御されているときには、第１の演出決定基準に従って、前記疑似連演出における疑似連回数と、第１演出モード用予告演出の組み合わせを決定可能であり、前記第１演出モードとは異なる第２演出モードに制御されているときには、第２の演出決定基準に従って、前記疑似連演出における疑似連回数と、第２演出モード用予告演出の組み合わせを決定可能であり、
前記第１演出モード用予告演出には、演出時間が異なる複数の種類があり、
前記第１演出モード用予告演出のうちの少なくとも一部の種類の演出と、前記第２演出モード用予告演出とは、演出時間が異なることを特徴とする。